(57)【要約】      （修正有）【課題】放熱性が良好で、使用寿命が長く、分解メンテナンスが行い易いＬＥＤ照明器具を提供する。【解決手段】ランプハウジングと、電源３と、少なくとも一つのＬＥＤモジュールと、を有し、ランプハウジング内に光源チャンバ１１と電気チャンバ１２を有し、光源チャンバ内にＬＥＤモジュールが設置され、電気チャンバ内に電源が設置され、光源チャンバと電気チャンバが相互に隔離され、ランプハウジングの電気チャンバ側が電気チャンバの台座１２１とカバープレート１２２を有し、電源が電気チャンバの台座に固定され、カバープレートがランプハウジングの夾角外側の一面に設置され、かつ電気チャンバの台座に着脱可能に接続され、更に電気チャンバの台座を覆って、電気チャンバを形成する。【選択図】図１
0003213753.tif 000002
【実用新案登録請求の範囲】
【請求項１】
少なくともランプハウジングと、電源と、少なくとも一つのＬＥＤモジュールと、を有し、前記ランプハウジング内に光源チャンバと電気チャンバを有し、前記光源チャンバ内に前記ＬＥＤモジュールが設置され、前記電気チャンバ内に前記電源が設置され、前記光源チャンバと電気チャンバが相互に隔離され、
前記ランプハウジングの電気チャンバ側が電気チャンバの台座とカバープレートを有し、前記電源が前記電気チャンバの台座に固定され、前記カバープレートがランプハウジングの夾角の内側又は外側の一面に設置され、かつ前記電気チャンバの台座に着脱可能に接続され、更に前記電気チャンバの台座を覆って、電気チャンバを形成する、
ことを特徴とするＬＥＤ照明器具。
【請求項２】
前記ランプハウジングの光源チャンバ側と電気チャンバ側の間に一定の夾角を呈し、前記夾角の範囲が３０度〜６０度の間である、
ことを特徴とする請求項１に記載のＬＥＤ照明器具。
【請求項３】
前記電気チャンバ内に設置される避雷器を更に有する、
ことを特徴とする請求項１又は２に記載のＬＥＤ照明器具。
【請求項４】
前記ランプハウジングの電気チャンバ側に更に落下防止機構取付部が設置され、落下防止機構を接続するために用いられ、照明器具が設置体に向かって直接的に落下するのを防止する、
ことを特徴とする請求項１又は２に記載のＬＥＤ照明器具。
【請求項５】
前記ランプハウジングの光源チャンバ側が光源チャンバの台座とレンズ押さえ枠を有し、
前記ＬＥＤモジュールが前記光源チャンバの台座に取り付けられ、かつレンズ押さえ枠を介して前記光源チャンバの台座に圧着固定される、
ことを特徴とする請求項１に記載のＬＥＤ照明器具。
【請求項６】
各前記ＬＥＤモジュールがＬＥＤ回路ボードと、シールリングと、レンズと、を有し、前記ＬＥＤ回路ボードが前記光源チャンバの台座に固定され、前記シールリングとレンズとが組み合わさって光源チャンバの台座に貼り合わせられ、かつ前記ＬＥＤ回路ボードを覆い、前記レンズ押さえ枠が前記ＬＥＤモジュール全体を圧着密封し、かつ前記光源チャンバの台座に固定される、
ことを特徴とする請求項５に記載のＬＥＤ照明器具。
【請求項７】
前記レンズ押さえ枠のフレームがレンズを下方に押圧し、下方への押圧力をシールリングに作用させ、ＬＥＤモジュールを加圧固定して密封する、
ことを特徴とする請求項６に記載のＬＥＤ照明器具。
【請求項８】
各前記ＬＥＤモジュールが更に液状シリコンを有し、前記レンズ押さえ枠、レンズ、及びシールリングが接触する部位の外側又は内側に塗布され、レンズ押さえ枠がＬＥＤモジュールを加圧固定した後、液状シリコンが硬化する、
ことを特徴とする請求項７に記載のＬＥＤ照明器具。
【請求項９】
前記レンズ押さえ枠がネジを介してＬＥＤモジュールに加圧固定され、かつ前記光源チャンバの台座に接続固定される、
ことを特徴とする請求項５に記載のＬＥＤ照明器具。
【請求項１０】
前記レンズ押さえ枠の長さ方向及び／又は幅方向において前記ネジが均一に設置され、又は、前記レンズ押さえ枠の長さ方向及び／又は幅方向において両端部位から中央部位に向かって設置されるネジの密度が次第に増す、
ことを特徴とする請求項９に記載のＬＥＤ照明器具。
【請求項１１】
前記レンズ押さえ枠の長さ方向におけるネジ密度が幅方向におけるネジ密度より大きい、
ことを特徴とする請求項１０に記載のＬＥＤ照明器具。
【請求項１２】
前記光源チャンバと電気チャンバの間に隔離壁を有し、前記隔離壁に電気穿設部が設置される、
ことを特徴とする請求項１、５乃至１１のいずれか一項に記載のＬＥＤ照明器具。
【請求項１３】
前記電気穿設部が通線孔であって、前記ＬＥＤモジュールと前記電源の間の電気接続線を貫通させるために用いられる、
ことを特徴とする請求項１２に記載のＬＥＤ照明器具。
【請求項１４】
前記通線孔内にシールリングが設置され、樹脂注入による密封が行われる、
ことを特徴とする請求項１３に記載のＬＥＤ照明器具。
【請求項１５】
前記ＬＥＤモジュールと前記電源上に等しく電気接続線が引き出され、かつ両者の電気接続線の自由端が相互に適合する差し込み可能な端子として設置される、
ことを特徴とする請求項１２に記載のＬＥＤ照明器具。
【請求項１６】
前記ランプハウジングの光源チャンバ側の正面が出光面であって、裏面に放熱フィンが配置され、前記正面が夾角外側の面であり、前記裏面が夾角内側の面である、
ことを特徴とする請求項１、５乃至１１のいずれか一項に記載のＬＥＤ照明器具。
【請求項１７】
前記ランプハウジングの光源チャンバ側と電気チャンバ側の間の部位に連通する孔列が設置され、ランプハウジング夾角内側の水滴を落下させるために用いられ、かつ断熱の役割を果たす、
ことを特徴とする請求項１、５乃至１１のいずれか一項に記載のＬＥＤ照明器具。
【請求項１８】
更に支持台とつまみを有し、前記支持台がつまみを介して前記ランプハウジングの光源チャンバ側と電気チャンバ側の間の部位に取り付けられ、前記ランプハウジングを前記支持台に対して回転できるようにする、
ことを特徴とする請求項１、５乃至１１のいずれか一項に記載のＬＥＤ照明器具。
【請求項１９】
更に歯付き座金を有し、前記つまみとランプハウジングの間に接続され、緩みを防止する役割を果たす、
ことを特徴とする請求項１８に記載のＬＥＤ照明器具。
【考案の詳細な説明】
【技術分野】
【０００１】
本考案はＬＥＤ照明分野に属し、特にＬＥＤ照明器具に関するものである。
【背景技術】
【０００２】
ＬＥＤ（Ｌｉｇｈｔ  Ｅｍｉｔｔｉｎｇ  Ｄｉｏｄｅ，発光ダイオード）照明装置は、現在、室内照明、室外照明、ポータブル照明、環境照明等の各種照明場所に広く使用されている。ＬＥＤ照明器具は、省エネ、長寿命、良好な適用性、短い応答時間、環境保護、鮮やかな色彩、純粋な発光色等の特長を有し、照明器具産業の発展すべき方向性を示すものである。
【０００３】
発光ダイオードの性能は湿度、温度、機械的振動及び機械的衝撃の影響を極めて受け易く、ＬＥＤ発光素子が正常な使用寿命内に正常に動作することを保証するため、ＬＥＤ照明器具の構成部品が良好な防水性能、放熱性能、機械的振動防止性能及び機械的衝撃防止性能等を有することが要求される。また照明器具の使用環境に応じて、照明器具に何等かの特別な要求が設けられる。例えば、屋外で使用される街灯には、照明器具が良好な耐紫外線性能と防水性能を有することが要求される。
【０００４】
ＬＥＤ照明器具はＬＥＤ構成部品と電源部分を有し、ＬＥＤ構成部品と電源部分はその動作時において、それぞれから熱が発生し、両者が相互に接近する場合は相互に影響し合うが、従来のＬＥＤ照明器具ではランプハウジング内にＬＥＤ構成部品と電源部分が適切に配置されず、通常、両者を一か所に収容することによって、両者の熱が相互に伝達し合い、好ましい放熱効果が得られず、ＬＥＤ照明器具の使用寿命を縮めることとなり、また従来のランプハウジングは、電源の取り付け及びメンテナンスについても、かなり不便なものであった。
【０００５】
更に、一部の室外ＬＥＤ照明器具では、更に照明器具に水が溜まり易く、長く溜まった後に照明器具内部に滲出し、ＬＥＤ構成部品と電源部分の損壊を深刻化させるおそれがあった。また電源部分の取り付けが容易ではなく、照明器具のメンテナンスも不便なものであった。
【０００６】
支持台はランプ本体を回転させることができ、照明器具の多角度での出光を実現し、光面の調整に寄与するものである。
【考案の概要】
【０００７】
本考案が解決しようとする技術的課題は、放熱性が更に良好で、使用寿命が更に長く、分解及びメンテナンスが更に容易な、ＬＥＤ照明器具を提供することである。
【０００８】
上述の課題を解決するため、本考案は、少なくともランプハウジングと、電源と、少なくとも一つのＬＥＤモジュールと、を有し、前記ランプハウジング内に光源チャンバと電気チャンバを有し、前記光源チャンバ内に前記ＬＥＤモジュールが設置され、前記電気チャンバ内に前記電源が設置され、前記光源チャンバと電気チャンバが相互に隔離され、
前記ランプハウジングの電気チャンバ側が電気チャンバの台座とカバープレートを有し、前記電源が前記電気チャンバの台座に固定され、前記カバープレートがランプハウジングの夾角内側の一面に設置され、かつ前記電気チャンバの台座に着脱可能に接続され、更に前記電気チャンバの台座を覆って、電気チャンバを形成する、ＬＥＤ照明器具を提供する。
【０００９】
本考案の実施例の一つでは、前記ランプハウジングの光源チャンバ側と電気チャンバ側の間に一定の夾角を呈し、前記夾角の範囲が３０度〜６０度の間である。
【００１０】
本考案の実施例の一つでは、前記電気チャンバ内に設置される避雷器を更に有する。
【００１１】
本考案の実施例の一つでは、前記ランプハウジングの電気チャンバ側に更に落下防止機構取付部が設置され、落下防止機構を接続するために用いられ、照明器具が設置体に向かって直接的に落下することを防止する。
【００１２】
本考案の実施例の一つでは、前記ランプハウジングの光源チャンバ側が光源チャンバの台座とレンズ押さえ枠を有し、前記ＬＥＤモジュールが前記光源チャンバの台座に取り付けられ、かつレンズ押さえ枠を介して前記光源チャンバの台座に圧着固定される。
【００１３】
本考案の実施例の一つでは、各前記ＬＥＤモジュールがＬＥＤ回路ボードと、シールリングと、レンズとを有し、前記ＬＥＤ回路ボードが前記光源チャンバの台座に固定され、前記シールリングとレンズとが組み合わさって光源チャンバの台座に貼り合わせられ、かつ前記ＬＥＤ回路ボードを覆い、前記レンズ押さえ枠が前記ＬＥＤモジュール全体を圧着密封し、かつ前記光源チャンバの台座に固定される。
【００１４】
本考案の実施例の一つでは、前記レンズ押さえ枠のフレームがレンズを下方に押圧し、下方への押圧力をシールリングに作用させ、ＬＥＤモジュールを加圧固定して密封する。
【００１５】
本考案の実施例の一つでは、各前記ＬＥＤモジュールが更に液状シリコンを有し、前記レンズ押さえ枠、レンズ、及びシールリングが接触する部位の外側又は内側に塗布され、レンズ押さえ枠がＬＥＤモジュールを加圧固定した後、液状シリコンが硬化する。
【００１６】
本考案の実施例の一つでは、前記レンズ押さえ枠がネジを介してＬＥＤモジュールに加圧固定され、かつ前記光源チャンバの台座に接続固定される。
【００１７】
本考案の実施例の一つでは、前記レンズ押さえ枠の長さ方向及び／又は幅方向において前記ネジが均一に設置され、又は、前記レンズ押さえ枠の長さ方向及び／又は幅方向において、両端部位から中央部位に向かって設置されるネジの密度が次第に増す。
【００１８】
本考案の実施例の一つでは、前記レンズ押さえ枠の長さ方向におけるネジ密度が幅方向におけるネジ密度より大きい。
【００１９】
本考案の実施例の一つでは、前記光源チャンバと電気チャンバの間に隔離壁を有し、前記隔離壁に電気穿設部が設置される。
【００２０】
本考案の実施例の一つでは、前記電気穿設部が通線孔であって、前記ＬＥＤモジュールと前記電源の間の電気接続線を貫通させるために用いられる。
【００２１】
本考案の実施例の一つでは、前記通線孔内にシールリングが設置され、樹脂注入による密封が行われる。
【００２２】
本考案の実施例の一つでは、前記ＬＥＤモジュールと前記電源上に等しく電気接続線が引き出され、かつ両者の電気接続線の自由端が相互に適合する差し込み可能な端子として設置される。
【００２３】
本考案の実施例の一つでは、前記ランプハウジングの光源チャンバ側の正面が出光面であって、裏面に放熱フィンが配置され、当該正面が夾角外側の面であり、当該裏面が夾角内側の面である。
【００２４】
本考案の実施例の一つでは、前記ランプハウジングの光源チャンバ側と電気チャンバ側の間の夾角頂部又は夾角頂部に近接する位置に連通する孔列が設置され、ランプハウジング夾角内側の水滴を落下させるために用いられ、かつ断熱の役割を果たす。
【００２５】
本考案の実施例の一つでは、更に支持台とつまみを有し、前記支持台はつまみを介して前記ランプハウジングの光源チャンバ側と電気チャンバ側の間の夾角頂部又は夾角頂部に近接する位置に取り付けられ、前記ランプハウジングを前記支持台に対して回転できるようにする。
【００２６】
本考案の実施例の一つでは、更に歯付き座金を有し、前記つまみとランプハウジングの間に接続され、緩みを防止する役割を果たす。
【００２７】
上述の技術的解決手段を採用した後、本考案は従来の技術に比べ以下の有益な効果を有する。
【００２８】
ランプハウジング内に相互に隔離される光源チャンバと電気チャンバが設置され、ＬＥＤモジュールと電源を光源チャンバと電気チャンバ内にそれぞれ分けて設置することで、ＬＥＤモジュールと電源の動作時にそれぞれから発生する熱を一定の程度において隔離し、相互間の影響を減少させ、これにより照明器具の使用寿命を延長させることが可能となる。またカバープレート及びその位置の設定を通じて、電気チャンバ内部の電気部品の取り付けとメンテナンスを行い易くすることが可能となる。
【００２９】
光源チャンバ側と電気チャンバ側は、隔離壁のみを介して接続され、その他の面は接続されないことによって、両者の相互影響を更に減少させる。隔離壁上に通線孔を直接開設し、かつリード線を穿設することによって、ＬＥＤモジュールと電源を接続すれば、製造コストを大幅に削減でき、更に熱の伝達も減少させることができる。
【００３０】
孔列は、ランプハウジング夾角内側の水滴を落下させ、排水するために用いられるのみならず、断熱の役割も果たし、ＬＥＤモジュールと電源によって発生する熱を更に隔離させ、相互間の干渉を減少させて、一定の気流を発生させることによって、ランプ本体の冷却に寄与する。
【図面の簡単な説明】
【００３１】
【図１】本考案の実施例の一つにおけるＬＥＤ照明器具の分解構造の概要を示す図である。
【図２】図１のＬＥＤ照明器具のカバープレートを取り外した後における構造の概要を示す図である。
【図３】図１のＬＥＤ照明器具の全体的な構造の概要を示す図である。
【図４】本考案の別の実施例におけるＬＥＤ照明器具の分解構造の概要を示す図である。
【図５】図４のＬＥＤ照明器具の全体的な構造の概要を示す図である。
【図６】本考案の実施例の一つにおけるレンズ押さえ枠の構造の概要を示す図である。
【図７】本考案の実施例の一つにおけるレンズ押さえ枠の構造の概要を示す図である。
【考案を実施するための形態】
【００３２】
本考案の上述の目的、特徴及び優位性を更に明確かつ分かり易くするため、以下、図面を参照して本考案の具体的な実施形態について詳細に説明する。
【００３３】
以下の説明において、本考案の充分な理解に寄与するよう、多くの具体的かつ詳細な説明を記述した。しかしながら、本考案はここに説明する以外の数多くの形態で実施できるものであり、本分野の技術者ならば、本考案に含まれる状況下において、これを類推できることから、本考案は、以下に公開する具体的な実施形態に限定されない。
【００３４】
図１−３に示すように、本実施例のＬＥＤ照明器具は、少なくともランプハウジング１と、電源３と、少なくとも一つのＬＥＤモジュール２とを有し、ランプハウジング１内に光源チャンバ１１と電気チャンバ１２を備え、光源チャンバ１１内にＬＥＤモジュール２が設置され、電気チャンバ１２内に電源３が設置され、光源チャンバ１１と電気チャンバ１２は相互に隔離される。ランプハウジング１内に相互に隔離された光源チャンバ１１と電気チャンバ１２が設置され、ＬＥＤモジュール２と電源３を光源チャンバ１１と電気チャンバ１２内にそれぞれ分けて設置し、これにより、ＬＥＤモジュール２と電源３の動作時においてそれぞれから発生する熱を一定の程度において隔離し、相互間の影響を減少させ、これにより照明器具の使用寿命を延長させる。
【００３５】
ランプハウジング１の電気チャンバ側は電気チャンバの台座１２１とカバープレート１２２とを有し、電源２は電気チャンバの台座１２１上に固定され、カバープレート１２２はランプハウジング１の夾角内側（光源チャンバ側と電気チャンバ側の向かい合う二つの表面）又は夾角外側（光源チャンバ側と電気チャンバ側の後ろ合わせとなる二つの表面）の一面に設置され、カバープレート１２２は電気チャンバの台座１２１を覆ってこれに着脱可能に接続される。電気チャンバの台座１２１とカバープレート１２２が接続されて密封された電気チャンバ１２を形成し、カバープレート１２２を設置することで、電気チャンバ１２内部の電気部品の取り付けと、メンテナンスが容易になる。任意選択的に、ＬＥＤ照明器具は更に避雷器４を有し、避雷器４が電気チャンバ１２内に設置され、照明器具の避雷を実現し、同様にカバープレート１２２によって、避雷器４の取り付け等が容易にできるようになる。
【００３６】
任意選択的に、ランプハウジング１の光源チャンバ側と電気チャンバ側の間は一定の夾角を呈し、ＬＥＤ投光器等（但し、これらのみに限定されない）に適用する。光源チャンバ側とは光源チャンバ１１を有するランプハウジング１の部分を指し、電気チャンバ側とは電気チャンバ１２を有するランプハウジング１の部分を指す。光源チャンバ側と電気チャンバ側は、好ましくは扁平状を呈し、両者に挟まれた夾角は、好ましくは鋭角であり、具体的な角度は実際のニーズに応じて設定することができる。夾角の範囲は３０度〜６０度の間であって、好ましくは、夾角が４５度である。
【００３７】
任意選択的に、カバープレート１２２の設置される一面は電気チャンバ側の最大面積の表面であって、かつカバープレート１２２が該表面全体を覆うことによって、電源２及び／又は避雷器４等の取り付けが最も容易となり、カバープレート１２２を取り外した後、電気部品の可視及び可動スペースが大きくなるため、電気部品の接続を更に堅牢にすることができる。
【００３８】
任意選択的に、ランプハウジング１の電気チャンバ側に更に落下防止機構取付部（図には未表示）が設置され、落下防止機構を接続するために用いられ、照明器具が設置体に相対して直接的に落下することを防止する。落下防止機構取付部は電気チャンバ１２上に事前に確保しておくネジ穴とすることができ、落下防止機構が例えばフックコードである場合は、フックコードの一端をネジ穴に接続し、他端を照明器具設置体に接続して、照明器具が落下した場合に、これに引っ掛かるようにし、直接、地面に落下することを防止する。
【００３９】
実施例の一つにおいて、ランプハウジング１の光源チャンバ側が光源チャンバの台座１１１とレンズ押さえ枠１１２とを有する。ＬＥＤモジュール２が光源チャンバの台座１１１に取り付けられ、かつレンズ押さえ枠１１２を介して光源チャンバの台座１１１に圧着固定される。これにより取り付けは簡易かつ信頼性が高いものとなる。
【００４０】
ＬＥＤモジュール２はＬＥＤ回路ボード２１と、シールリング２２と、レンズ２３と、を有する。ＬＥＤ回路ボード２１は光源チャンバの台座１１１に固定され、ＬＥＤ回路ボード２１は、例えばＬＥＤ電球とアルミ基板を有し、溶接工程によって接続し取り付けて形成できるが、これに限定されず、アルミ基板をその他の基板、例えばセラミック基板等に交換してもよい。シールリング２２とレンズ２３とが組み合わさって光源チャンバの台座１１１に貼り合わせられ、かつＬＥＤ回路ボード２１を覆い、レンズ押さえ枠１１２がＬＥＤモジュール２全体を圧着密封し、かつ光源チャンバの台座１１１上に固定させる。レンズ２３とレンズ２３を固定するレンズ押さえ枠１１２は分離して設置され、これにより、ＬＥＤモジュール２を加圧し固定密封する場合に、レンズ２３に突起が生じることを防止できる。
【００４１】
レンズ押さえ枠１１２のフレームがレンズ２３を下方に押圧し、下方への押圧力をシールリング２２に作用させることで、シールリング２２の内周又はシールリング２２全体に作用させることができ、レンズ２３、シールリング２２を加圧固定することで、ＬＥＤモジュール２を加圧固定して密封する。任意選択的に、レンズ押さえ枠１１２がネジを介してＬＥＤモジュール２を加圧固定し、かつネジを介して光源チャンバの台座１１１に接続され固定される。任意選択的に、各ＬＥＤモジュール２は更に液状シリコン（図中には未表示）を有し、レンズ押さえ枠１１２、レンズ２３、及びシールリング２２が接触する部位の外側又は内側に塗布され、レンズ押さえ枠１１２がＬＥＤモジュール２を加圧固定した後、液状シリコンが硬化する。
【００４２】
具体的には、レンズ２３は外縁を有し、サイズの適合するシールリング２２が外縁下方に設置され、レンズ押さえ枠１１２はレンズ２３の外縁に適合し、外縁の上方に押圧され、レンズ押さえ枠１１２は光源チャンバの台座１１１を下方に押圧して接続固定する。レンズ押さえ枠１１２はレンズ２３に適合しＬＥＤモジュール２のＬＥＤ回路ボード２１を光源チャンバ１１１内に密封させる。レンズ押さえ枠１１２を用いてレンズ２３上のシールリング２２を加圧固定し、シールリング２２の受力を均等にさせることによって、安定性を良好なものとさせ、更に良好な密封性能を具備させる。
【００４３】
実施例の一つにおいて、図６に示すように、レンズ押さえ枠１１２’の長さ方向及び／又は幅方向に均等にネジ８が設置される。図６では、レンズ押さえ枠１１２’の長辺に均等な間隔で四つのネジ８が設置され、その間隔は例えば６０ｍｍであって、レンズ押さえ枠１１２’の短辺に均等な間隔で三つのネジ８が設置され、その間隔は例えば５６．７５ｍｍである。
【００４４】
別の実施例において、図７に示すように、レンズ押さえ枠１１２’’の長さ方向において、両端部位から中間部位に向かって設置されるネジ８の密度が次第に増し、言い換えれば、両端部位から中間部位に向かって、ネジ８の間隔が次第に小さくなり、図７では、長辺のネジ８の数量が６個、中間部位の間隔が３０ｍｍ、両端に向かっての間隔は順に３３ｍｍ、４２ｍｍと変化する。図７では、レンズ押さえ枠１１２’’の幅方向におけるネジ８の密度は均等であり、言い換えれば、ネジ８の間隔が同一であって、その間隔は３８ｍｍである。なお、レンズ押さえ枠１１２’’の幅方向においても両端部位から中間部位に向かってネジ８の密度が次第に増すように設置できることは言うまでもない。好ましくは、レンズ押さえ枠１１２’’の長さ方向においてネジ８の密度が幅方向におけるネジ８の密度より大きい。
【００４５】
ネジ８の具体的な数量とサイズは限定されず、レンズ押さえ枠全体のサイズに応じて、ネジ８の数量と密度を適切に調整できることは言うまでもない。
【００４６】
ネジ８が均等な間隔で設置される場合は、レンズ押さえ枠の中間部位の防水性能がやや劣るおそれがあるため、ネジの中間部位における分布を更に密にすることで、照明器具の気密性と、防水効果を更に良好にすることができる。
【００４７】
光源チャンバ１１と電気チャンバ１２の間には一枚の隔離壁が有り、光源チャンバ１１と電気チャンバ１２の間を一枚の隔離壁のみによって隔離することで、照明器具の重量を減じ、照明器具全体の体積を減じさせることができる。光源チャンバ側と電気チャンバ側は隔離壁のみを介して接続され、その他の面は接続されないことから、両者の相互影響を更に減少させることができる。隔離壁に電気穿設部１４を設置し、光源チャンバ１１と電気チャンバ１２の間の電気的接続部品（図中には未表示）を貫通させるために用いられる。電気穿設部１４の具体的な形態は限定されず、例えば回路基板であり、かつ隔離壁の一部分であっても良く、更にその他の形態であっても良いことは言うまでもない。
【００４８】
任意選択的に、電気穿設部１４が通線孔である。通線孔はＬＥＤモジュール２と電源３の間の電気接続線を貫通させるために用いられ、電気接続線は光源チャンバ１１から電気チャンバ１２内に延出させても良いし、また電気チャンバ１２内から光源チャンバ１１内に延出させても良く、電気接続線は好ましくは防水線である。隔離壁に直接通線孔を開設し、リード線を穿設することによって、ＬＥＤモジュール２と電源３を接続すれば、製造コストを大幅に削減でき、更に熱の伝達も減少させることができる。
【００４９】
好ましくは、通線孔内にシールリングを設置することができ、シールリングはくさび形のシリコンリングであってもよく、且つシールリングをベースに樹脂注入による密封を行い、ＬＥＤモジュール２の高い防護等級を実現する。シールリングの設置によって注入した樹脂の流動を防止でき、両者を組み合わせることによって更に良好な密封効果が得られる。
【００５０】
実施例の一つにおいて、ＬＥＤモジュール２と電源３上に等しく電気接続線が引き出され、利便性を向上させるために、両電気接続線の接続部位を電気チャンバ１２内に設置しても良い。ＬＥＤモジュール２と電源３における電気接続線の自由端（接続部位）が相互に適合する差し込み可能な端子として設置され、例えばオス端子とメス端子が相互に接続される等、手動で差し込めるものであれば、電気チャンバ１２内の部品の取り外しやメンテナンスが更に行い易くなる。差し込み可能な端子は、好ましくは防水ジョイントであって、端子の浸水によるＬＥＤモジュール２又は電源３への影響を防止する。
【００５１】
ランプハウジング１の光源チャンバ側の正面が出光面であって、裏面に好ましくは放熱フィン（図中には未表示）が配置され、複数の放熱フィンはＬＥＤモジュール２が必要とする放熱範囲一面にこれを配置できる。ランプハウジング１の光源チャンバ側の正面は夾角外側の面であって、当該裏面は夾角内側の面であり、出光が電気チャンバ側に遮断されることを防止する。
【００５２】
好ましくは、ランプハウジング１の光源チャンバ側と電気チャンバ側の間の夾角頂部又は夾角頂部に近接する位置に連通する孔列１３が設置され、孔列１３は一列の楕円形の孔であってもよく、孔列１３はランプハウジング１の夾角内側の水滴を落下させ、排水するために用いられるのみならず、断熱の役割も果たし、ＬＥＤモジュール２と電源３によって発生する熱を更に隔離させ、相互間の干渉を減少させて、一定の気流を発生させることによって、ランプ本体の冷却に寄与する。
【００５３】
更に、ＬＥＤ照明器具は支持台５とつまみ６とを更に有することができる。支持台５はつまみ６を介してランプハウジング１の光源チャンバ側と電気チャンバ側の間の夾角頂部又は夾角頂部に近接する位置に取り付けられ、ランプハウジング１を支持台５に対して回転できるようにする。支持台５はランプ本体を回転させることができ、例えば３６０度又は３４０度回転させ、照明器具の多角度での出光を実現し、光面の調整に寄与する。
【００５４】
好ましくは、ＬＥＤ照明器具が歯付き座金７を更に有することができる。歯付き座金７はつまみ６とランプハウジング１の間に接続され、緩みを防止する役割を果たす。つまみ６と歯付き座金７は支持台５を締め付け、ランプハウジング１を固定し、必要に応じて出光方向を調整する場合には、つまみ６を緩めて、ランプハウジング１の角度を調整すると実現できる。
【００５５】
図４−５に示すように、図１−３に示される照明器具との違いは、本実施例において、照明器具が二つのＬＥＤモジュール２’を有し、各ＬＥＤモジュール２’が等しくＬＥＤ回路ボード２１’と、シールリング２２’と、レンズ２３’とを有し、レンズ押さえ板１２２’の形状が二つのレンズ２３’の辺縁に適合し、二つのＬＥＤモジュール２’が光源チャンバの台座１１１に密封固定されている点であり、具体的な取付方法は前述の実施例と同一であるため、ここでは説明を省略する。
【００５６】
本考案は、上述の通り、好適な実施例を公開したものであるが、これにより請求の範囲が限定されるものではなく、本分野の技術者ならば、本考案の精神と範囲を逸脱することなく、可能な変更及び修正を行うことができることから、本考案の保護範囲は本考案の請求の範囲において界定した範囲を基準とする。
【符号の説明】
【００５７】
１−ランプハウジング、１１−光源チャンバ、１１１−光源チャンバの台座、１１２、１１２’、１１２’’−レンズ押さえ枠、１２−電気チャンバ、１２１−電気チャンバの台座、１２２−カバープレート、１３−孔列、１４−電気穿設部、２、２’−ＬＥＤモジュール、２１、２１’−ＬＥＤ回路ボード、２２、２２’−シールリング、２３、２３’−レンズ、３−電源、４−避雷器、５−支持台、６−つまみ、７−歯付き座金、８−ネジ。
【図１】
0003213753.tif 000003
【図２】
0003213753.tif 000004
【図３】
0003213753.tif 000005
【図４】
0003213753.tif 000006
【図５】
0003213753.tif 000007
【図６】
0003213753.tif 000008
【図７】
0003213753.tif 000009